(57)【要約】【課題】周囲の人の心理的準備状態に応じた方法で着信を通知する携帯電話端末を提供する。【解決手段】携帯電話端末１は、無線を介して近距離に存在する周辺装置における通知種別を取得して、情報提示種別情報１１０を出力する近距離無線通信手段１１と、情報提示種別情報１１０に基づいて情報提示種別を決定して、通知音を提示する情報提示装置へ情報提示種別指示２１０を出力する情報提示種別決定手段２１と、を備えることにより、携帯電話端末１の近距離に存在する周辺装置を所持する利用者が、どのように着信を通知するよう設定しているかを判断し、携帯電話端末１における通知種別を決定するよう構成した。【選択図】図１
2007325158.tif 000002
【特許請求の範囲】
【請求項１】
情報を提示する情報提示装置を制御する情報提示制御装置であって、
無線を介して近距離に存在する周辺装置に設定されている情報提示種別を取得する近距離無線通信手段と、
前記近距離無線通信手段の取得結果に基づいて、前記情報提示装置の情報提示種別を決定する情報提示種別決定手段と、を有する情報提示制御装置。
【請求項２】
前記情報提示種別決定手段は、前記情報提示種別を決定してから所定の時間が経過したことを条件に、前記情報提示種別の変更を許可することを特徴とする請求項１記載の情報提示制御装置。
【請求項３】
前記情報提示種別決定手段は、前記情報提示種別に応じて、前記所定の時間を変更することを特徴とする請求項２記載の情報提示制御装置。
【請求項４】
前記近距離無線通信手段は、前記取得結果を記憶する記憶領域を有し、
前記情報提示種別決定手段は、前記記憶領域を参照して、予め設定された時間以内に取得した前記取得結果に基づいて、前記情報提示種別を決定することを特徴とする請求項１記載の情報提示制御装置。
【請求項５】
前記情報提示種別決定手段は、前記情報提示装置に設定されている情報提示種別と異なる情報提示種別が設定されている前記周辺装置の装置数、または前記装置数の割合に基づいて、前記情報提示種別を決定することを特徴とする請求項１記載の情報提示制御装置。
【請求項６】
前記近距離無線通信手段は、前記情報提示種別決定手段が決定した前記情報提示装置の情報提示種別を前記周辺装置へ無線を介して送信することを特徴とする請求項１記載の情報提示制御装置。
【請求項７】
情報を提示する情報提示装置を制御する情報提示制御方法であって、
無線を介して近距離に存在する周辺装置の情報提示種別を取得する第１のステップと、
前記第１のステップの取得結果に基づいて、前記情報提示装置の情報提示種別を決定する第２のステップと、を有する情報提示制御方法。
【発明の詳細な説明】
【技術分野】
【０００１】
本発明は、着信やアラーム等の各種情報を提示する装置を制御する情報提示制御装置に関し、特に携帯型電子機器に利用可能な情報提示制御装置に関する。
【背景技術】
【０００２】
携帯電話のサービスエリアの拡充により、さまざまな場所や時間帯において携帯電話端末を用いて通信や通話を行うことが可能となってきている。しかしながら、利用者のおかれる状況によっては、携帯電話端末への着信が周囲に悪影響を及ぼす場合もある。たとえば、電車の車両内において着信通知音が大音量で鳴動するようなことがあれば、周囲の乗客の気分を害してしまうことにつながりかねない。
【０００３】
このような課題に対処するため、着信の通知種別を周囲の状況に合わせて変更できる携帯電話端末が早くから商品化されてきた。たとえば、マナーモード機能を備えた携帯電話端末は、音、または振動のうちのいずれかの方法で着信を通知するかを利用者が周囲の状況に合わせて選択することができる。
【０００４】
しかし、着信の通知種別を利用者が手動で切り替える従来の携帯電話端末は、利用者が周囲の状況の変化に合わせて切替え操作を逐一行う必要があるため操作が煩雑であった。また、切替え忘れにより利用者の意図に反して、着信通知音が大音量で鳴ってしまい、周囲に迷惑をかけてしまうおそれがあった。
【０００５】
このような課題を解決するため、従来、周囲の状況に応じて自動的に着信の通知種別を変更する技術が提案されている。たとえば、特許文献１に開示された音量制御装置は、利用者の携帯電話端末の外部に近距離無線通信機能を搭載した他の携帯電話端末が存在することを検出し、自端末の着信通知音の音量を自動的に調節するものである。この発明によれば、周囲に携帯電話端末が存在することを検出した場合、利用者の周囲に携帯電話端末を所持する他の人が居ると判断し、利用者の所持する携帯電話端末の着信通知音の音量を自動的に小さくすることができるので、大音量の着信通知音によって周囲に迷惑がかかることを未然に防ぐことができる。
【特許文献１】特開２００４−３２３９４号公報（第１２ページ、図３）
【発明の開示】
【発明が解決しようとする課題】
【０００６】
しかしながら、上記従来の装置にあっては、たとえば、利用者の周囲に携帯電話端末を所持する人が多く存在するような雑踏の中を利用者が徒歩で移動している場合、自動的に着信通知音の音量が小さくなるので、着信通知音が喧騒にかき消されてしまい、利用者が着信に気付かないという不具合が生じるものであった。
【０００７】
また、人が自分の近くで鳴動する着信通知音を受忍できるかどうかは、周囲の騒音の大きさ、時間帯、屋内であるか屋外であるか、などの環境条件によって左右されるだけでなく、人それぞれが持つ判断基準や、着信通知音を聞いたときにその人が「着信通知音が鳴るかもしれない」と予期していたかどうか、などの心理条件（以下、「心理的準備状態」と記載する）によっても変化することが知られている。しかしながら、上記従来の装置は、周囲の人の心理的準備状態に応じて適切な着信通知を行うことができないものであった。
【０００８】
本発明は、上記従来の課題を解決するものであり、周囲の人の心理的準備状態に応じた方法で情報を提示することのできる情報提示制御装置を提供することを目的とする。
【課題を解決するための手段】
【０００９】
前記従来の課題を解決するために、本発明の情報提示制御装置は、情報を提示する情報提示装置を制御する情報提示制御装置であって、無線を介して近距離に存在する周辺装置に設定されている情報提示種別を取得する近距離無線通信手段と、前記近距離無線通信手段の取得結果に基づいて、前記情報提示装置の情報提示種別を決定する情報提示種別決定手段と、を備えた構成を有する。
【００１０】
この構成により、周囲の人が所持する周辺装置に設定されている情報提示種別に基づいて、情報提示装置の情報提示種別を選択することにより、周囲の人の心理的準備状態に応じた方法で情報を提示することができる。
【００１１】
また、本発明の情報提示制御装置は、前記情報提示種別決定手段が、前記情報提示種別を決定してから所定の時間が経過したことを条件に、前記情報提示種別の変更を許可する構成を有する。
【００１２】
この構成により、情報提示装置の情報提示種別を第１の情報提示種別（例えば、無音通知）に設定した直後に、第２の情報提示種別（例えば、通常通知）に切り替わるといった不安定な動作を防ぐことができる。すなわち、周囲への影響が少ない情報提示種別に設定した状態を安定して維持することができる。
【００１３】
また、本発明の情報提示制御装置は、前記情報提示種別決定手段が、前記情報提示種別に応じて、前記所定の時間を変更する構成を有する。
【００１４】
この構成により、周囲への影響が少ない情報提示種別に設定された状態を安定して維持することができ、また、周囲への影響が大きい情報提示種別に設定された状態を素早く変更することができる。従って、情報提示装置の通知動作によって周囲に迷惑をかけるおそれを軽減することができる。
【００１５】
また、本発明の情報提示制御装置は、前記近距離無線通信手段が、前記取得結果を記憶する記憶領域を有し、前記情報提示種別決定手段が、前記記憶領域を参照して、予め設定された時間以内に取得した前記取得結果に基づいて、前記情報提示種別を決定する構成を有する。
【００１６】
この構成により、過去に検出し、後に近距離無線通信手段の通信圏外へ移動してしまった周辺装置からの取得結果を情報提示種別の決定するときに除外することができるので、周囲の人の現在の心理的準備状態に応じた方法で情報を提示することができる。
【００１７】
また、本発明の情報提示制御装置は、前記情報提示種別決定手段が、前記情報提示装置に設定されている情報提示種別と異なる情報提示種別が設定されている前記周辺装置の装置数、または前記装置数の割合に基づいて、前記情報提示種別を決定する構成を有する。
【００１８】
この構成により、周辺装置に設定されている情報提示種別の趨勢に合致していない場合に限り、情報提示装置の情報提示種別を変更することができるので、少数の周辺装置に設定されている情報提示種別に影響を受けて、情報提示装置の情報提示種別を頻繁に変更することを防止することができる。
【００１９】
また、本発明の情報提示制御装置は、前記近距離無線通信手段が、前記情報提示種別決定手段が決定した前記情報提示装置の情報提示種別を前記周辺装置へ無線を介して送信する構成を有する。
【００２０】
この構成により、情報提示装置の情報提示種別を周囲に存在する周辺装置へ知らせることができるので、本発明の構成を有する他の周辺装置の情報提示種別を周囲の人の心理的準備状態に応じたものとすることができる。
【００２１】
また本発明の情報提示制御方法は、情報を提示する情報提示装置を制御する情報提示制御方法であって、無線を介して近距離に存在する周辺装置の情報提示種別を取得する第１のステップと、前記第１のステップの取得結果に基づいて、前記情報提示装置の情報提示種別を決定する第２のステップと、を有する。
【００２２】
上記手順により、周囲の人が所持する周辺装置に設定されている情報提示種別に基づいて、情報提示装置の情報提示種別を選択することにより、周囲の人の心理的準備状態に応じた方法で情報を提示することができる。
【発明の効果】
【００２３】
本発明によれば、周囲の人が所持する周辺装置に設定されている情報提示種別に基づいて、情報提示装置の情報提示種別を選択することにより、周囲の人の心理的準備状態に応じた方法で情報を提示することができる。
【発明を実施するための最良の形態】
【００２４】
以下、本発明を実施するための最良の形態について、図面を参照しながら説明する。なお、実施の形態を説明するための全図において、同一の構成要素には同一符号を付与し、重複する説明は省略する。
（実施の形態１）
図１は、本発明の実施の形態１における情報提示制御装置の概略構成図である。図１において、情報提示制御装置１は近距離無線通信手段１１、情報提示種別決定手段２１を備える。
【００２５】
近距離無線通信手段１１は、近距離に存在する周辺装置２００と無線通信することにより、周辺装置２００における情報提示種別を取得して情報提示種別情報１１０を出力する。情報提示種別決定手段２１は、情報提示種別情報１１０に基づいて、情報提示種別を決定し、決定した情報提示種別を情報提示装置４に指示するための情報提示種別指示２１０を出力する。
【００２６】
図２は、本発明の実施の形態１における情報提示制御装置１を携帯電話端末１００に設けたときの構成図である。図２において携帯電話端末１００は、情報提示制御装置１、情報提示装置４、無線通信手段５１、スピーカ５２、マイク５３、および計時手段７０を備える。また、情報提示装置４は、通知制御手段４０、バイブレータ４２、音源モジュール４３、通知用スピーカ４４を備える。
【００２７】
情報提示制御装置１における近距離無線通信手段１１は、図１における情報提示種別情報１１０を含む取得結果情報１１１を出力する。また、情報提示種別決定手段２１は、取得結果情報１１１、および計時手段７０が出力する時間情報７０１に基づいて、情報提示種別を決定し、通知種別指示２１１を出力するよう構成されている。
【００２８】
情報提示装置４における通知制御手段４０は、利用者に情報の通知を行うための指示である通知指示５１１が入力されたことに基づき、通知種別指示２１１が示す情報提示種別に従って、通知を行うためのデバイスであるバイブレータ４２および音源モジュール４３の動作をそれぞれ指示する振動指示４０２および鳴動指示４０３を出力する。通知制御手段４０は、通知種別指示２１１の内容が「通知音＝ＯＮ」の場合には鳴動指示４０３を出力し、「通知音＝ＯＦＦ」の場合には鳴動指示４０３を出力しない。
【００２９】
バイブレータ４２は、振動指示４０２に従って筐体に振動を与えることにより通知を行う。音源モジュール４３は、鳴動指示４０３に従って通知音の波形信号である通知音信号４３１を出力する。通知用スピーカ４４は、通知音信号４３１を空気振動に変換して放音する。
【００３０】
無線通信手段５１は、無線を介して他の電話端末（図示せず）との間で電話通信を行うことにより、送話信号５３１を通話相手の電話端末へ送出し、通話相手の電話端末に入力された音声信号を受信して受話信号５１２を出力する。また無線通信手段５１は、他の電話端末から着信を受けたことを検出して通知指示５１１を出力する。
【００３１】
マイク５３は、利用者の音声を電気信号に変換して送話信号５３１を出力する。スピーカ５２は、受話信号５１２を空気振動に変換して放音する。計時手段７０は、時間の経過を計測し、計測結果を示す時間情報７０１を出力する。
【００３２】
なお、本発明の実施の形態において「情報提示種別」とは、通知指示５１１に従って通知を行う際の通知種別を指す。また、ここでいう通知種別とは、通知音を鳴動して通知する「通常通知」、または消音して通知する「無音通知」のいずれかの種別を指す。
【００３３】
図３は、本発明の実施の形態１における携帯電話端末１００の外観を示す図である。図３に示すとおり、携帯電話端末１００は、上筐体および下筐体を有する折り畳み形状であり、上筐体に通知用スピーカ４４、スピーカ５２および近距離無線通信手段１１のアンテナ部分が配置され、下筐体にマイク５３が配置されている。なお、ここでは、折り畳み形状の携帯電話端末を例として説明するが、これに限定されるものではなく、ストレート形状の携帯電話端末や、上筐体と下筐体とが回転式、スライド式等の構成を有する携帯電話端末でもよい。
【００３４】
ここで、本発明の実施の形態１における携帯電話端末１００の近距離無線通信手段１１が無線通信を行う際の通信相手となる周辺装置２００の構成について簡単に説明する。
【００３５】
図４は、本発明の実施の形態１における周辺装置２００の構成を示す図である。図４において周辺装置２００は、第２の近距離無線通信手段１１−２、第２の情報提示種別決定手段２１−２、情報提示装置４、無線通信手段５１、スピーカ５２、マイク５３および操作入力手段６０から構成されている。なお、図２における携帯電話端末１００と同様の構成については重複した説明となるため省略し、図２における携帯電話端末１００と異なる構成について説明する。
【００３６】
操作入力手段６０は、利用者の操作入力を受け付けて操作入力信号６０１を出力する。
【００３７】
第２の情報提示種別決定手段２１−２は、着信を通知する際に「通常通知」とするか「無音通知」とするかを利用者が指示する設定操作を表す操作入力信号６０１に基づいて、通知種別を決定する。また、第２の情報提示種別決定手段２１−２は、周辺装置２００に備えられた情報提示装置４での通知種別を選択して、それぞれ「通知音＝ＯＮ」、または「通知音＝ＯＦＦ」を通知種別指示２１１として出力する。
【００３８】
第２の近距離無線通信手段１１−２は、近距離に存在する携帯電話端末と無線通信し、周辺装置２００における情報提示装置４での通知種別を示す通知種別情報１２１を携帯電話端末１００へ送信する。
【００３９】
なお、図４に示す周辺装置２００における第２の近距離無線通信手段１１−２は、たとえばＢｌｕｅｔｏｏｔｈ（登録商標）を用いて近距離通信を行う携帯電話端末等において既に公知である技術を用いて構成可能であるため、本明細書中に詳細な説明は記載しない。また、周辺装置２００における操作入力手段６０、第２の情報提示種別決定手段２１−２は、利用者の手動操作に基づいて「通常通知」と「無音通知」のうちのいずれかの通知種別に設定することのできる従来の携帯電話端末に備わっている仕組みと同様であるので、本明細書中に詳細な説明は記載しない。
【００４０】
以下、本発明の実施の形態１における携帯電話端末１００の動作を説明する。
【００４１】
図５は、本発明の実施の形態１における携帯電話端末１００の近距離無線通信手段１１の処理手順を示すフローチャートである。
【００４２】
近距離無線通信手段１１は、まず近距離に存在する周辺装置を探索する（ステップＳ１０１）。近距離無線通信手段１１は、周辺装置を検出すると（ステップＳ１０２、ＹＥＳ）、次に、検出した周辺装置との無線通信の接続を確立する（ステップＳ１１１）。一方、近距離無線通信手段１１は、周辺装置を検出しないと（ステップＳ１０２、ＮＯ）、周辺装置を検出しなかったことを示す情報「非検出」を取得結果情報１１１として出力し、周辺装置の探索（ステップＳ１０１）に戻る。
【００４３】
近距離無線通信手段１１は、検出した周辺装置との無線通信の接続を確立した後、周辺装置へ設定情報取得要求を送信することにより、周辺装置における通知種別を問い合わせる。設定情報取得要求は、近距離無線通信手段１１が、コマンド「ＡＴ＋ＣＡＬＭ？」を周辺装置の第２の近距離無線通信手段１１−２へ送信することにより行う。近距離無線通信手段１１は、「無音通知（通知音＝ＯＦＦ）」を示す応答「＋ＣＡＬＭ：  １」または「通常通知（通知音＝ＯＮ）」を示す応答「＋ＣＡＬＭ：  ０」のいずれかを周辺装置から受信することにより周辺装置における通知種別を取得する（ステップＳ１１２）。
【００４４】
次に、近距離無線通信手段１１は、周辺装置から取得した通知種別を取得結果情報１１１として出力する（ステップＳ１１３）。さらに近距離無線通信手段１１は、接続中の周辺装置との接続を解除し（ステップＳ１１７）、周辺装置の探索（ステップＳ１０１）に戻る。
【００４５】
なお、図５のフローチャートにおける周辺装置の探索（ステップＳ１０１）、周辺装置との接続の確立（ステップＳ１１１）、周辺装置との接続の解除（ステップＳ１１７）の処理は、たとえばＢｌｕｅｔｏｏｔｈ（登録商標）における処理を用いて簡易に実行することが可能であるので、本明細書中での詳細な説明は省略する。
【００４６】
図６は、本発明の実施の形態１における携帯電話端末１００の情報提示種別決定手段２１の処理手順を示すフローチャートである。
【００４７】
情報提示種別決定手段２１は、近距離無線通信手段１１が出力する取得結果情報１１１を受け付けると、図６に示す処理を開始する。
【００４８】
まず、情報提示種別決定手段２１は、取得結果情報１１１に基づいて周辺装置を検出したかどうかを判定する（ステップＳ２０１）。周辺装置を検出していない場合（ステップＳ２０１、ＮＯ）、すなわち取得結果情報１１１が「非検出」の場合にはステップＳ２３１へ進み、周辺装置を検出した場合（ステップＳ２０１、ＹＥＳ）、すなわち取得結果情報１１１が「通知音＝ＯＮ」または「通知音＝ＯＦＦ」の場合にはステップＳ２１１へ進む。
【００４９】
情報提示種別決定手段２１は、周辺装置を検出した場合（ステップＳ２０１、ＹＥＳ）、取得結果情報１１１が示す通知種別が「通常通知」であるか「無音通知」であるかを判定し（ステップＳ２１１）、通常通知（「通知音＝ＯＮ」）であればステップＳ２２１へ、無音通知（「通知音＝ＯＦＦ」）であればステップＳ２４１へ進む。
【００５０】
取得結果情報１１１が示す通知種別が「無音通知」の場合（ステップＳ２１１、無音通知）、ステップＳ２４１において情報提示種別決定手段２１は、携帯電話端末１００の情報提示装置４における通知種別を無音通知（「通知音＝ＯＦＦ」）とするよう決定し、ステップＳ２４２において計時手段７０のタイムアウト時間Ｔｓを例えば「６０秒」にセットし、通知種別を「無音通知」としてからの経過時間の計測を開始するよう計時手段７０へ指示する。さらに、ステップＳ２５１において情報提示種別決定手段２１はステップＳ２４１で決定した通知種別を通知種別指示２１１として出力して処理を終了する。
【００５１】
一方、取得結果情報１１１が示す通知種別が「通常通知」の場合（ステップＳ２１１、通常通知）、ステップＳ２２１において情報提示種別決定手段２１は、計時手段７０から時間情報７０１を取得する。次に、情報提示種別決定手段２１は、既に経過時間がタイムアウト時間Ｔｓに達したかどうかを判定し（ステップＳ２２２）、タイムアウト時間Ｔｓを経過した場合（ステップＳ２２２、ＹＥＳ）はステップＳ２３１へ進み、経過していない場合（ステップＳ２２２、ＮＯ）は処理を終了する。
【００５２】
経過時間がタイムアウト時間Ｔｓを経過した場合（ステップＳ２２２、ＹＥＳ）、または、周辺装置を検出していない場合（ステップＳ２０１、ＮＯ）、ステップＳ２３１において情報提示種別決定手段２１は、携帯電話端末１００の情報提示装置４における通知種別を通常通知（「通知音＝ＯＮ」）とするよう決定する。さらに、ステップＳ２５１において情報提示種別決定手段２１はステップＳ２３１で決定した通知種別を通知種別指示２１１として出力して処理を終了する。
【００５３】
図６に示すフローチャートに従って情報提示種別決定手段２１が処理を実行すると、携帯電話端末１００の近距離に通知種別を「無音通知」に設定された周辺装置が１台以上存在した場合（ステップＳ２０１、ＹＥＳ）に情報提示種別決定手段２１はステップＳ２４１、Ｓ２４２およびＳ２５１の処理を実行することになり、情報提示装置４における通知種別を「無音通知」にするよう決定するので、携帯電話端末１００は通知の際に通知音が鳴動しないように自動的に設定されることになる。
【００５４】
また、携帯電話端末１００の近距離に周辺装置が存在しない場合（ステップＳ２０１、ＮＯ）には、携帯電話端末１００の情報提示装置４における通知種別を「通常通知」とするよう決定する（ステップＳ２３１）ので、携帯電話端末１００は通知の際に通知音が鳴動するように自動的に設定されることになる。
【００５５】
また、ステップＳ２２１およびＳ２２２に示すように、通知種別を「無音通知」と決定してから一定時間以上経過したことを条件として、「通常通知」への通知種別の変更を許可する手順を有することにより、携帯電話端末１００の情報提示装置４における通知種別を、「無音通知」、すなわち周囲への影響が少ない通知種別に設定した状態を安定して維持することができる。たとえば、携帯電話端末１００の近距離に「無音通知」に設定された周辺装置と、「通常通知」に設定された周辺装置との両方が存在する場合、「無音通知」に設定された周辺装置から取得した通知種別に基づいて携帯電話端末１００における通知種別が「無音通知」に設定された直後に、「通常通知」に設定された周辺装置を検出して携帯電話端末１００の通知種別が「通常通知」に切り替わるといった不安定な動作を防ぐことができる。
【００５６】
なお、図５のステップＳ１１２が請求項７に記載の第１のステップに、図６のステップＳ２１１、Ｓ２３１、およびＳ２４１が同じく請求項７記載の第２のステップにそれぞれ相当する。
【００５７】
図７は、本発明の実施の形態１における携帯電話端末１００の利用状況の例を示した図である。図７は、携帯電話端末１００を所持する利用者Ｕが電車に乗車しており、利用者Ｕの近距離に周辺装置２００−１を所持する利用者Ｕ−１が居る状況を例として説明してある。以下、図７を中心にして、本発明の実施の形態１における携帯電話端末１００の動作例を説明する。
【００５８】
なお、初期状態において、携帯電話端末１００における通知種別は「通常通知」に設定されているものとして説明を行う。また、利用者Ｕ−１は、周辺装置２００−１の操作入力手段６０（図４）の操作によって、周辺装置２００−１における通知種別を「無音通知」に設定しており、着信があったときに消音状態で通知されるよう準備しているものとして説明を行う。
【００５９】
まず、携帯電話端末１００の近距離無線通信手段１１が、図５に示すフローチャートに従って処理を実行する。ステップＳ１０１において近距離無線通信手段１１は周辺装置を探索し、周辺装置２００−１を検出すると（ステップＳ１０２、ＹＥＳ）、周辺装置２００−１の第２の近距離無線通信手段１１−２（図４）と接続を確立する（ステップＳ１１１）。
【００６０】
ステップＳ１１２において近距離通信手段１１がコマンド「ＡＴ＋ＣＡＬＭ？」を送信すると、周辺装置２００−１の第２の近距離無線通信手段１１−２がこれを受け付ける。第２の近距離無線通信手段１１−２は、通知種別情報１２１として「通知音＝ＯＦＦ」を取得するので、近距離無線通信手段１１へ応答「＋ＣＡＬＭ：  １」を送信する（ステップＳ１１２）。さらに、近距離無線手段１１は、応答「＋ＣＡＬＭ：  １」から周辺装置２００−１における通知種別が「無音通知」であると判別し、ステップＳ１１３において取得結果情報１１１として「通知音＝ＯＦＦ」を出力する。
【００６１】
最後に、近距離無線通信手段１１は、ステップＳ１１７において周辺装置２００−１の第２の近距離無線通信手段１１−２との接続を解除する。近距離無線通信手段１１は、ステップＳ１０１、Ｓ１０２、Ｓ１１１〜Ｓ１１３およびＳ１１７の処理を繰り返すことにより、周辺装置２００−１における通知種別を示す「通知音＝ＯＦＦ」を取得結果情報１１１として情報提示種別決定手段２１へ繰り返し出力する。
【００６２】
一方、情報提示種別決定手段２１は、近距離無線通信手段１１が図５のステップＳ１１３において出力した取得結果情報１１１「通知音＝ＯＦＦ」を受け付けると、図６に示す処理を開始する。
【００６３】
まず、ステップＳ２０１において情報提示種別決定手段２１は、受け付けた取得結果情報１１１が「通知音＝ＯＦＦ」であるので周辺装置を検出したと判断するとともに（ステップＳ２０１、ＹＥＳ）、取得結果情報１１１が示す通知種別が「無音通知」であると判断し、ステップＳ２４１へ進む。
【００６４】
ステップＳ２４１において情報提示種別決定手段２１は、情報提示装置４における通知種別を「無音通知」とするよう決定するとともに、タイムアウト時間Ｔｓを６０秒に設定する（ステップＳ２４２）。さらに、情報提示種別決定手段２１は、ステップＳ２４１で決定した通知種別「無音通知」を通知種別指示２１１として通知制御手段４０へ出力することにより、着信を通知する際に無音で通知するよう情報提示装置４における通知種別を変更する（ステップＳ２５１）。
【００６５】
近距離無線通信手段１１が取得結果情報１１１「通知音＝ＯＦＦ」を再度出力すると、情報提示種別決定手段２１はステップＳ２０１、Ｓ２１１、Ｓ２４１、Ｓ２４２およびＳ２５１の処理を再度実行するが、携帯電話端末１００の近距離に周辺装置２００−１が存在する限り、情報提示装置４における通知種別は「無音通知」のまま保たれる。このため、携帯電話端末１００に着信があっても通知用スピーカ４４から通知音が放音されることはない。
【００６６】
ここで、たとえば利用者Ｕが電車を下車することにより、携帯電話端末１００と周辺装置２００−１との距離が離れると、携帯電話端末１００の近距離無線通信手段１１が周辺装置２００−１を検出できなくなるので（図５、ステップＳ１０２、ＮＯ）、近距離無線通知手段１１は取得結果情報１１１として「非検出」を出力する（ステップＳ１２１）。
【００６７】
これを受けて情報提示種別決定手段１２が図６の処理を実行すると、周辺装置を検出していないと判断し（ステップＳ２０１、ＮＯ）、ステップＳ２３１において情報提示装置４の通知種別を「通常通知」とするよう決定する。さらに、ステップＳ２５１において情報提示種別決定手段２１はステップＳ２３１決定した通知種別「通常通知」を通知種別指示２１１として出力してステップＳ２０１へ戻る。結果として、携帯電話端末１００に着信があると通知用スピーカ４４から通知音が放音されることになるが、既に利用者Ｕ−１は携帯電話端末１００から離れた場所に居るので、スピーカ４４が発する通知音が利用者Ｕ−１に迷惑をかけることはない。
【００６８】
以上説明したとおり、本発明の実施の形態１における携帯電話端末１００においては、近距離無線通信手段１１が近距離に存在する周辺装置２００−１における通知種別を無線を介して取得した結果に基づいて、情報提示種別決定手段１２が携帯電話端末１００の情報提示装置４における通知種別を決定する。これにより、周辺装置２００−１の利用者Ｕ−１が設定した通知種別が「無音通知」である場合に、携帯電話端末１００における通知種別を「無音通知」とすることができるので、携帯電話端末１００の周囲にいる利用者Ｕ−１の心理的準備状態、すなわち「着信しても通知音は鳴動しないでほしい」という利用者Ｕ−１の期待に応じた通知種別で着信を通知することができる。
（実施の形態２）
次に、本発明の実施の形態２について説明する。本発明の実施の形態２は、既に説明した本発明の実施の形態１における近距離無線通信手段が、情報提示装置の情報提示種別を近距離に存在する周辺装置へ無線を介して送信する点に特徴がある。
【００６９】
図８は、本発明の実施の形態２における情報提示制御装置１の概略構成図である。図８において、情報提示制御装置１は図１に示す本発明の実施の形態１における情報提示制御装置の構成のうち、情報提示種別決定手段２１が決定した情報提示種別を示す第２の情報提示種別情報１２０を近距離無線通信手段１１が無線を介して周辺装置２００へ出力するよう構成されている。
【００７０】
図９は、本発明の実施の形態２における情報提示制御装置１を携帯電話端末３００に設けたときの構成図である。図９において携帯電話端末３００は、図２に示す本発明の実施の形態２における携帯電話端末１００の構成に加えて、表示手段４１、操作入力手段６０、指示履歴保持手段３１を備える。また、通知制御手段４０は、表示手段４１へ表示指示４０１を出力するよう構成している。
【００７１】
表示指示４０１は、情報提示装置４における通知種別に関する情報を表示するための指示である。表示手段４１は、表示指示４０１に基づいて通知種別に関する情報を視認可能に提示する手段であり、液晶ディスプレイ（Ｌｉｑｕｉｄ  Ｃｒｙｓｔａｌ  Ｄｉｓｐｌａｙ、以下「ＬＣＤ」と記載）、発光ダイオード（Ｌｉｇｈｔ  Ｅｍｉｔｔｉｎｇ  Ｄｉｏｄｅ、以下「ＬＥＤ」と記載）、およびそれらハードウエアを駆動するためのドライバソフトウエア等で構成される。
【００７２】
指示履歴保持手段３１は、情報提示種別決定手段２１が決定した情報提示種別を記憶し、履歴として保持する手段である。
【００７３】
図１０は、本発明の実施の形態２における携帯電話端末３００の外観を示す図である。図１０に示すとおり、携帯電話端末３００は、上筐体および下筐体を有する折り畳み形状であり、上筐体に表示手段４１、通知用スピーカ４４、スピーカ５２および近距離無線通信手段１１のアンテナ部分が配置され、下筐体にマイク５３および操作入力手段６０が配置されている。
なお、ここでは例として、表示手段４１は、文字や画像等を表示するディスプレイと、携帯電話端末３００を折り畳んだ状態、すなわち利用者が操作入力手段６０の操作入力を行わない場合においても利用者が表示状態を確認できるよう、筐体の端部に設けられているＬＥＤとから構成されているものとする。
なお、また、ここでは、折り畳み形状の携帯電話端末を例として説明するが、これに限定されるものではなく、ストレート形状の携帯電話端末や、上筐体と下筐体とが回転式、スライド式等の構成を有する携帯電話端末でもよい。
【００７４】
以下、本発明の実施の形態２における携帯電話端末３００の動作を説明する。
図１１は、本発明の実施の形態２における携帯電話端末３００の近距離無線通信手段１１の処理手順を示すフローチャートである。図１１に示す処理手順は、図５に示す実施の形態１における携帯電話端末１００の近距離無線通信手段１１の処理手順に加えて、ステップＳ１１４〜Ｓ１１６、およびステップＳ１２２を備える。
【００７５】
ステップＳ１１４において近距離無線通信手段１１は、周辺装置に設定された通知種別の取得処理（ステップＳ１１２）の結果を示す取得結果情報１１１を記憶領域へ記憶する。情報提示種別決定手段２１は、記憶領域を参照することにより、近距離無線通信手段１１が取得した通知種別を含む取得結果情報１１１を取得するようにしている。
【００７６】
ステップＳ１１５において近距離無線通信手段１１は、近距離に存在する周辺装置（携帯電話端末１００（図２）または別の携帯電話端末など）から設定情報取得要求を受信したかどうかにより処理を分岐し、受信した場合（ステップＳ１１５、ＹＥＳ）はステップＳ１１６へ、受信していない場合（ステップＳ１１５、ＮＯ）はステップＳ１１７へ進む。
【００７７】
ステップＳ１１６において近距離無線通信手段１１は、情報提示種別決定手段２１から図８の第２の情報提示種別情報１２０に相当する第２の通知種別情報１２２を取得し、第２の通知種別情報１２２が「通知音＝ＯＮ」の場合は応答「＋ＣＡＬＭ：  ０」を、「通知音＝ＯＦＦ」の場合は応答「＋ＣＡＬＭ：  １」を周辺装置へ送信する。
【００７８】
ステップＳ１２２において近距離無線通信手段１１は、時間情報７０１に基づいて所定の時間（例えば、２秒間）、処理を休止することにより、携帯電話端末３００の近距離に周辺装置が存在しない場合に周辺装置を探索する処理を頻繁に繰り返すことによる無駄な電力消費を抑制する。
【００７９】
図１２〜図１４は、本発明の実施の形態２における携帯電話端末３００の情報提示種別決定手段２１の処理手順を示すフローチャートである。図１２は情報提示種別決定手段２１の処理実行におけるメインルーチンを示す。また、図１３、図１４は、それぞれ図１２のステップＳ３２１、Ｓ３１１において呼び出されるサブルーチンを示している。
【００８０】
図１２において、情報提示種別決定手段２１は、操作入力手段６０から操作入力信号６０１を受信することで処理を開始する。まず情報提示種別決定手段２１は、操作入力信号６０１を受け付ける（ステップＳ３０１）。次に、情報提示種別決定手段２１は、受け付けた操作入力信号６０１が、着信を通知する際に「通常通知」とするか「無音通知」とするかを設定する通知種別の設定操作であるか否かを判定する（ステップＳ３０２）。ここで、受け付けた操作入力信号６０１が、通知種別を設定する設定操作である場合（ステップＳ３０２、ＹＥＳ）にはステップＳ３２１へ、通知種別を設定する設定操作でなかった場合（ステップＳ３０２、ＮＯ）はステップＳ２２１へ進む。
【００８１】
ステップＳ３２１において情報提示種別決定手段２１は、操作入力信号６０１に基づいて提示種別を決定する処理を行う。
一方、ステップＳ２２１、Ｓ２２２およびＳ３１１において情報提示種別決定手段２１は、タイムアウト時間Ｔｓが既に経過したことを条件に（ステップＳ２２１〜Ｓ２２２）、取得結果情報１１１に基づいて通知種別を決定する処理を行う（ステップＳ３１１）。
【００８２】
図１３は、本発明の実施の形態２における情報提示種別決定手段２１が操作入力信号６０１に基づいて通知種別を決定する処理手順を示すフローチャートである。
【００８３】
ステップＳ４０１において、情報提示種別決定手段２１は操作入力信号６０１の内容に基づいて処理を分岐し、操作入力信号６０１が通知種別を「通常通知」とする設定操作である場合はステップＳ２３１へ、操作入力信号６０１が通知種別を「無音通知」とする設定操作である場合はステップＳ２４１へ進む。
【００８４】
ステップＳ２３１において情報提示種別決定手段２１は、情報提示装置４の通知種別を「通常通知」とするよう決定し、計時手段７０のタイムアウト時間Ｔｓを「３０秒」にセットして（ステップＳ４１１）、ステップＳ２５１へ進む。一方、ステップＳ２４１において情報提示種別決定手段２１は、情報提示装置４の通知種別を「無音通知」とするよう決定し、計時手段７０のタイムアウト時間Ｔｓを「６０秒」にセットして（ステップＳ４２１）、ステップＳ２５１へ進む。
ステップＳ２５１において情報提示種別決定手段２１は、ステップＳ２３１またはステップＳ２４１で決定した通知種別を通知種別指示２１１として出力して、ステップＳ４３１に進む。
【００８５】
ステップＳ４３１において情報提示種別決定手段２１は、ステップＳ２５１で出力した通知種別指示２１１の内容、すなわちステップＳ２５１以前の処理において情報提示種別決定手段２１が決定した通知種別を指示履歴保持手段３１へ記録する。
【００８６】
図１４は、本発明の実施の形態２における情報提示種別決定手段２１が取得結果情報１１１に基づいて通知種別を決定する処理手順を示すフローチャートである。
【００８７】
ステップＳ５０１において情報提示種別決定手段２１は、図１１のステップＳ１１４において近距離無線通信手段１１が記憶領域へ記憶した取得結果情報１１１を参照し、近距離無線通信手段１１が検出した周辺装置のうち、現在時刻以前の所定時間以内（例えば、１０秒以内）に検出した周辺装置の装置数を求め、この装置数が０より大きいかを判定することにより、近距離に現在周辺装置が存在するかどうかを判断する。
近距離に現在周辺装置が存在する場合は（ステップＳ５０１、ＹＥＳ）、ステップＳ５０２へ進み、近距離に現在周辺装置が存在しない場合は（ステップＳ５０１、ＮＯ）、ステップＳ２３１へ進む。
【００８８】
ステップＳ５０２において情報提示種別決定手段２１は、情報提示装置４に現在設定されている通知種別によって処理を分岐し、通知種別が「無音通知」の場合は（ステップＳ５０２、無音通知）、ステップＳ５１１へ、通知種別が「通常通知」の場合は（ステップＳ５０２、通常通知）ステップＳ５２１へ進む。
【００８９】
ステップＳ５１１において情報提示種別決定手段２１は、近距離無線通信手段１１が所定時間以内に検出した周辺装置のうち、情報提示種別が情報提示装置４における現在設定されている通知種別と異なっているもの、すなわち通知種別が「通常通知」となっている周辺装置の装置数が全装置数に対して一定割合以上であるかどうかで処理を分岐し、一定割合以上である場合（ステップＳ５１１、８０％以上）はステップＳ５１２へ進み、一定割合に満たない場合（ステップＳ５１１、８０％未満）はステップＳ３０１（図１２）へ戻る。
【００９０】
一方、ステップＳ５２１において情報提示種別決定手段２１は、通知種別が「無音通知」となっている周辺装置の装置数が全装置数に対して一定割合以上であるかどうかで処理を分岐し、一定割合以上である場合（ステップＳ５２１、４０％以上）はステップＳ２４１へ、一定割合に満たない場合（ステップＳ５２１、４０％未満）はステップＳ３０１（図１２）へ戻る。
【００９１】
通知種別が「通常通知」となっている周辺装置の装置数が全装置数に対して一定割合以上である場合（ステップＳ５１１、８０％以上）、ステップＳ５１２において情報提示種別決定手段２１は、通知種別を「無音通知」から「通常通知」へ変更する旨を利用者に警告するよう、通知制御手段４０へ通知種別指示２１１を出力する。このとき出力される通知種別指示２１１に基づき、通知制御手段４０は、表示手段４１、バイブレータ４２へそれぞれ表示指示４０１、振動指示４０２を出力すると、表示手段４１のＬＥＤが赤色に点滅し、バイブレータ４２が間欠的に振動する。
【００９２】
次に、ステップＳ３０１−２において情報提示種別決定手段２１は、通知種別の変更を中止するための操作が所定時間内に検出されたときは（ステップＳ５１３、ＹＥＳ）、タイムアウト時間Ｔｓに６０秒をセットした後（ステップＳ４２１）、ステップＳ３０１（図１２）へ戻り、通知種別の変更を中止するための操作が所定時間内に検出されないときは（ステップＳ５１３、ＮＯ）、ステップＳ２３１へ進む。
【００９３】
次に、ステップＳ２３１において情報提示種別決定手段２１は、情報提示装置４の通知種別を「通常通知」とするよう決定し、計時手段７０のタイムアウト時間Ｔｓを「２秒」にセットして（ステップＳ５１４）、ステップＳ２５１へ進む。
【００９４】
一方、ステップＳ２４１において情報提示種別決定手段２１は、情報提示装置４の通知種別を「無音通知」とするよう決定し、計時手段７０のタイムアウト時間Ｔｓを「１０秒」にセットして（ステップＳ５２２）、ステップＳ２５１へ進む。
【００９５】
ステップＳ２５１において情報提示種別決定手段２１が通知種別指示２１１を出力すると、通知制御手段４０がこれを受け付け、着信があった際にバイブレータ４２および音源モジュール４３による通知を行うよう制御する。また、通知制御手段４０は、通知種別指示２１１が「通知音＝ＯＮ」の場合はＬＥＤを赤色に、「通知音＝ＯＦＦ」の場合はＬＥＤを緑色に点灯するよう、表示手段４１へ表示指示４０１を出力することにより、利用者が表示手段４１を見ることで現在の通知種別を確認できるようにする。
次に、ステップＳ４３１において情報提示種別決定手段２１は、ステップＳ２５１で出力した通知種別指示２１１の内容、すなわちステップＳ２３１またはＳ２４１において情報提示種別決定手段２１が決定した通知種別を指示履歴保持手段３１へ記録する。
【００９６】
図１２のフローチャートに示すように、本発明の実施の形態２における携帯電話端末３００の情報提示種別決定手段２１は、取得結果情報１１１に基づいて情報提示装置４の通知種別を決定する手順（ステップＳ２２１、Ｓ２２２およびＳ３１１）に加えて、操作入力信号６０１に基づいて通知種別を決定する手順（ステップＳ３２１）を有する。上記手順によれば、利用者の判断で情報提示装置４の通知種別を選択することもできるので、近距離に存在する周辺装置における通知種別に基づいて決定した通知種別が最適でない状況におかれた場合であっても利用者による設定操作により適切に対処することができる。
【００９７】
また、図１３のフローチャートに示すように、通知種別を「通常通知」、すなわち周囲への影響が大きい通知種別とした際に設定するタイムアウト時間（ステップＳ４１１）を、通知種別を「無音通知」とした際に設定するタイムアウト時間（ステップＳ４２１）よりも短い時間としている。上記手順によれば、周囲への影響が小さい通知種別に設定された状態を安定して維持することができるとともに、周囲への影響が大きい通知種別に設定されている状態を状況に応じて素早く変更することができるので、情報提示装置４による通知動作により周囲に迷惑がかかるおそれを軽減することができる。
【００９８】
また、手動設定処理（図１３）において設定するタイムアウト時間（ステップＳ４１１、ステップＳ４２１）は、自動設定処理（図１４）において設定するタイムアウト時間（ステップＳ５１４、ステップＳ５２２）よりも長い時間としている。上記手順によれば、利用者の設定操作に基づいて決定された通知種別が直後に自動的に変更されてしまうことなく一定時間維持されるよう動作するので、近距離に存在する周辺装置の利用者の判断よりも携帯電話端末３００の利用者の判断を優先して、情報提示装置４における通知種別を維持することができる。
【００９９】
また、ステップＳ４３１（図１３、図１４）において情報提示種別決定手段２１は、ステップＳ２５１で出力した通知種別指示２１１の内容、すなわち情報提示種別決定手段２１が決定した通知種別を指示履歴保持手段３１へ記録するよう動作する。上記手順によれば、情報提示装置４における通知種別がどのように変更されたかを後で参照することができるので、利用者の行動の大まかな履歴を後から確認するために携帯電話端末３００を利用することができるようになり、利便性が向上する。
【０１００】
また、図１４において情報提示種別決定手段２１は、近距離無線通信手段１１が検出した周辺装置のうち、直前の所定時間以内に検出した周辺装置における通知種別に基づいて情報提示装置４の通知種別を決定している。上記手順によれば、過去に検出し、後に近距離無線通信手段１１の通信圏外へ移動してしまった周辺装置の影響を情報提示装置４の通知種別の決定に際して除外することができるので、携帯電話端末３００における通知種別を周囲の人の現在の心理的準備状態に応じた通知種別とすることができる。
【０１０１】
また、情報提示種別決定手段２１は、ステップＳ５１１およびステップＳ５２１において、近距離に存在する周辺装置のうち、周辺装置における通知種別が情報提示装置４に現在設定されている通知種別と異なる周辺装置の装置数、さらには装置数の割合に基づいて情報提示装置４の通知種別を決定している。上記手順によれば、情報提示装置４における通知種別が周辺装置における通知種別の趨勢に合致していない場合に限り、情報提示装置４の通知種別を変更することができるので、少数の周辺装置における通知種別に影響を受けて携帯電話端末３００の情報提示装置４の通知種別が頻繁に変更されることが少なくなり、動作が安定する。
【０１０２】
また、ステップＳ５１１において通知種別を「通常通知」、すなわち周囲への影響が大きい通知種別とするための処理（ステップＳ５１２、Ｓ３０１−２、Ｓ５１３、Ｓ２３１、Ｓ５１４）へ進むための条件（８０％以上）は、ステップＳ５２１において通知種別を「無音通知」、すなわち周囲への影響が小さい通知種別とするための処理（ステップＳ２４１、Ｓ５２２）へ進むための条件（４０％以上）よりも厳しいものとしている。上記手順によれば、情報提示種別決定手段２１が情報提示装置４における通知種別を周囲への影響の小さい通知種別に決定する確率が高まるので、情報提示装置４が周囲への影響の大きい通知種別で着信を通知することにより周囲に迷惑をかけるおそれを軽減することができる。
【０１０３】
また、情報提示種別決定手段２１はステップＳ５１２において、通知種別を「通常通知」、すなわち周囲への影響の大きい通知種別に変更する際に利用者に対して警告するよう動作する。上記手順により、情報提示種別決定手段２１における通知種別の決定が周囲の状況にそぐわず、ふさわしくない着信通知が行われてしまうおそれがあることを利用者が事前に察知することができる。
【０１０４】
また、情報提示種別決定手段２１はステップＳ５１３において、通知種別を「通常通知」、すなわち周囲への影響の大きい通知種別に変更する際に利用者の中止操作に基づいて通知種別の変更を中止するよう動作する。上記手順により、情報提示種別決定手段２１における通知種別の決定が周囲の状況にそぐわないために、ふさわしくない情報提示が行われてしまう不都合を利用者の判断によって事前に回避することができる。
【０１０５】
また、情報提示種別決定手段２１はステップＳ５１３において、利用者の中止操作が所定時間内に行われない場合は通知種別を自動的に変更するよう動作する。上記手順により、警告が行われる度に通知種別の変更を許可する操作を利用者が行う必要がなくなり、利便性が向上する。
【０１０６】
なお、図１１記載のステップＳ１１２が請求項７に記載の第１のステップに、図１４記載のステップＳ５０１、Ｓ５０２、Ｓ５１１、Ｓ５２１、Ｓ２３１、およびＳ２４１が同じく請求項７記載の第２のステップにそれぞれ相当する。
【０１０７】
図１５は、本発明の実施の形態２における携帯電話端末３００の利用状況の例を示した図である。図１５（ａ）は、携帯電話端末３００を所持する利用者Ｕが電車に乗車しており、利用者Ｕの近距離に、図４に示す構成を有する周辺装置２００−１、周辺装置２００−２をそれぞれ所持する利用者Ｕ−１、利用者Ｕ−２が居る状況を例として説明してある。また、図１５（ｂ）は、図１５（ａ）の状況に加えて、本発明の実施の形態２における別の携帯電話端末３００−３を所持する利用者Ｕ−３が乗車してきて、利用者Ｕの近距離に居る状況を例として説明してある。
【０１０８】
以下、図１５を中心にして、本発明の実施の形態２における携帯電話端末３００の動作例を説明する。なお、初期状態において、携帯電話端末３００および３００−３における着信の通知種別は「通常通知」に設定されているものとして説明を行う。また、利用者Ｕ−１は、周辺装置２００−１の通知種別を「無音通知」に、利用者Ｕ−２は、周辺装置２００−２の通知種別を「通常通知」に、それぞれ設定しているものとして説明を行う。
【０１０９】
まず、携帯電話端末３００の近距離無線通信手段１１が、図１１に示すフローチャートに従って処理を実行する。最初にステップＳ１０１において近距離無線通信手段１１は、周辺装置を探索し、周辺装置２００−１を検出したとすると（ステップＳ１０２、ＹＥＳ）、周辺装置２００−１と接続を確立し（ステップＳ１１１）、周辺装置２００−１に設定されている通知種別「無音通知」を取得する（ステップＳ１１２）。次に近距離無線通信手段１１は、記憶領域に取得結果情報１１を記録する（ステップＳ１１４）。
【０１１０】
図１６は、近距離無線通信手段１１が記憶領域に記録する取得結果情報１１１を保持する通知種別取得履歴表Ｔ３１１の内容を示す図である。
通知種別取得履歴表Ｔ３１１は、近距離無線通信手段１１が検出した周辺装置ごとのレコード（Ｒ３１１１−１〜Ｒ３１１３−４）から成り、各レコードは周辺装置を識別するための識別子を格納する周辺装置識別子フィールドＦ３１１１、周辺装置から取得した通知種別を格納する通知種別フィールドＦ３１１２、周辺装置から通知種別を取得した時刻を格納する通知種別取得時刻フィールドＦ３１１３から成る。
【０１１１】
近距離無線通信手段１１が最初に周辺装置２００−１を検出し、通知種別「無音通知」を取得した結果、通知種別取得履歴表Ｔ３１１の内容は、図１６（ａ）に示す通知種別取得履歴表Ｔ３１１−１の状態となる。通知種別取得履歴表Ｔ３１１−１のレコードＲ３１１１−１は、近距離無線通信手段１１が、周辺装置２００−１を識別する周辺装置識別子「００００１」で示される周辺装置２００−１から、周辺装置２００−１に設定されている通知種別「無音通知」を「７時３５分２０秒」に取得したことを表している。
【０１１２】
図１１のステップＳ１１５において、近距離無線通信手段１１は、設定情報取得要求を送信する周辺装置が近距離に存在しないため（ステップＳ１１５、ＮＯ）、ステップＳ１１７において周辺装置２００−１との接続を解除する。
【０１１３】
次に、近距離無線通信手段１１は、周辺装置２００−２についても同様に処理を実行することにより、通知種別取得履歴表Ｔ３１１の内容は、図１６（ｂ）に示す通知種別取得履歴表Ｔ３１１−２の状態となる。通知種別取得履歴表Ｔ３１１−２のレコードＲ３１１２−２は、近距離無線通信手段１１が、周辺装置２００−２を識別する周辺装置識別子「００００２」で示される周辺装置２００−２から、周辺装置２００−２に設定されている通知種別「通常通知」を「７時３５分２１秒」に取得したことを表している。
【０１１４】
一方、情報提示種別決定手段２１は、図１２に示すフローチャートに従って処理を実行すると、まず操作入力信号６０１を受け付ける（ステップＳ３０１）。次に、情報提示種別決定手段２１は、受け付けた操作入力信号６０１が通知種別の設定操作であるか判断し（ステップＳ３０２）、通知種別の設定操作でないため（ステップＳ３０２、ＮＯ）、計時手段７０から時間情報７０１を取得する（ステップＳ２２１）。ここで、時間情報７０１が示す現在時刻が「７時３５分２２秒」であり、前回タイムアウト時間Ｔｓを設定して以後、タイムアウト時間Ｔｓ＝２秒を既に経過しているものとすると（ステップＳ２２２、ＹＥＳ）、情報提示種別決定手段２１は通知種別の自動設定処理（ステップＳ３１１）を実行する。
【０１１５】
続いて、情報提示種別決定手段２１は、図１４に示すフローチャートに従って処理を実行する。通知種別取得履歴表Ｔ３１１−２が保持する通知種別取得時刻（フィールドＦ３１１３）は、周辺装置２００−１（レコードＲ３１１１−２）、周辺装置２００−２（レコードＲ３１１２−２）いずれも現在時刻７時３５分２２秒以前の所定時間（１０秒）以内であるため、周辺装置検出数は２となり（ステップＳ５０１、ＹＥＳ）、情報提示種別決定手段２１はステップＳ５０２の処理へ進む。
【０１１６】
ステップＳ５０２において、携帯電話端末３００における通知種別は「通常通知」であるので、情報提示種別決定手段２１はステップＳ５２１へ進む。さらに、周辺装置２００−１および周辺装置２００−２の２台の周辺装置のうち、通知種別が「無音通知」となっているのは周辺装置２００−１の1台であるので（ステップＳ５２１、４０％以上）、情報提示種別決定手段２１は携帯電話端末３００の情報提示装置４における通知種別を「無音通知」とするよう決定する（ステップＳ２４１）。
【０１１７】
次に、情報提示種別決定手段２１はタイムアウト時間Ｔｓを１０秒とした上で（ステップＳ５２２）、ステップＳ２５１において情報提示装置４の通知種別を「無音通知」とするよう通知種別指示２１１を出力する。その結果、情報提示装置４は、着信を通知する際に着信音を鳴動しない状態となる。
【０１１８】
さらに、ステップＳ４３１において情報提示種別決定手段２１は、情報提示装置４の通知種別を「無音通知」と決定した旨を指示履歴保持手段３１へ記録する。
【０１１９】
図１７は、指示履歴保持手段３１が保持する通知種別指示履歴表Ｔ３１２の内容を示す図である。通知種別指示履歴表Ｔ３１２は、通知種別指示２１１ごとに、決定した通知種別を保持するレコード（レコードＲ３１２１〜Ｒ３１２２）から成る。また、通知種別指示履歴表Ｔ３１２の各レコードは、通知種別指示２１１を出力した時刻を示す通知種別指示時刻フィールドＦ３１２１、通知種別指示２１１の内容を示す通知種別フィールドＦ３１２２、通知種別が利用者の設定操作に基づいて決定された（「手動」）のか、取得結果情報１１１に基づいて決定された（「自動」）のかを示す理由フィールドＦ３１２３から成っている。
【０１２０】
図１７（ａ）は、初期状態における通知種別指示履歴表Ｔ３１２−１の内容を、図１７（ｂ）は、情報提示種別決定手段２１が指示履歴保持手段３１に記録する処理（上記ステップＳ４３１）を実行した際の通知種別指示履歴表Ｔ３１２−２の内容をそれぞれ示している。通知種別指示履歴表Ｔ３１２−２においては、今回新たに記録された通知種別を示すレコードＲ３１２２が追加されている。
【０１２１】
次に、図１５（ｂ）に示すとおり、携帯電話端末３００−３を所持した利用者Ｕ−３が乗車して、利用者Ｕの近距離に到達した場合の動作を説明する。
【０１２２】
まず、携帯電話端末３００の近距離無線通信手段１１が既に述べた処理と同様の処理を実行することにより、通知種別取得履歴表Ｔ３１１の内容は図１６（ｃ）に示すとおりとなる。通知種別取得履歴表Ｔ３１１−３においては、利用者Ｕ−３が所持する携帯電話端末３００−３に対応するレコードＲ３１１３−３が新たに追加されている。
【０１２３】
携帯電話端末３００の情報提示種別決定手段は、図１４のフローチャートに示す処理のステップＳ５０２において、携帯電話端末３００における通知種別が「無音通知」であるので、ステップＳ５１１の処理へ進む。ステップＳ５１１において、情報提示種別決定手段は、通知種別取得履歴表Ｔ３１１−３を参照し、通知種別「通常通知」が設定された周辺装置が周辺装置２００−２および携帯電話端末３００−３の２台であるので（ステップＳ５１１、８０％未満）、通知種別を「通常通知」とする処理（ステップＳ５１２〜Ｓ５１４）を実行せず、情報提示装置４における通知種別は「無音通知」のまま維持する。
【０１２４】
また、図１１のステップＳ１１５において、近距離無線通信手段１１は、携帯電話端末３００−３から送信された設定情報取得要求を受信すると（ステップＳ１１５、ＹＥＳ）、ステップＳ１１６において、近距離無線通信手段１１は第２の通知種別情報１２２「通知音＝ＯＦＦ」に基づいて応答「＋ＣＡＬＭ：  １」を携帯電話端末３００−３へ送信する。
【０１２５】
一方、携帯電話端末３００−３においても携帯電話端末３００と同様の処理が実行される。結果として携帯電話端末３００−３における通知種別は「無音通知」となり、周辺装置２００−１および携帯電話端末３００における通知種別と同様の通知種別で着信を通知することができるようになる。
【０１２６】
図１８は、指示履歴保持手段３１に保持された通知種別の履歴の表示例を示す図である。情報提示種別決定手段２１は、利用者からの表示操作を受け付けた操作入力手段６０の出力である操作入力信号６０１に基づいて、通知種別指示履歴表Ｔ３１２の内容に従い、表示手段４１へ内容を表示するための表示指示４０１を出力することにより、図１８に示す表示が行われる。
【０１２７】
図１８において、縦方向の軸は時刻を表し、「０：００」（表示Ｄ４１１）は０時００分、「６：００」（表示Ｄ４１２）は６時００分を表す。また、点描（表示Ｄ４１３）、黒色（表示Ｄ４１４）、白色（表示Ｄ４１５）、斜線（表示Ｄ４１６）の各矩形領域は、領域が示す時間帯に情報提示装置４の通知種別がそれぞれ「無音通知」、「通常通知」、「無音通知」、「通常通知」に設定されていたことを表している。このうち、点描（表示Ｄ４１３）、黒色（表示Ｄ４１４）の両領域は、通知種別指示履歴表Ｔ３１２の理由フィールドＴ３１２３が「手動」であった個所、すなわち利用者の手動操作に基づいて、携帯電話端末３００の通知種別が決定・維持されていた時間帯を表す。一方、白色（表示Ｄ４１５）、斜線（Ｄ４１６）の各矩形領域は、通知種別指示履歴表Ｔ３１２の理由フィールドＴ３１２３が「自動」であった個所、すなわち近距離に存在する周辺装置の通知種別に基づいて、携帯電話端末３００における通知種別が決定・維持されていた時間帯を表す。
【０１２８】
以上説明したように、本発明の実施の形態２における携帯電話端末３００においては、近距離無線通信手段１１が近距離に存在する複数の周辺装置における通知種別を無線を介して取得し、特定の通知種別に設定された周辺装置の装置数に基づいて、情報提示種別決定手段１２が携帯電話端末３００の情報提示装置４の通知種別を決定することにより、携帯電話端末３００の周囲の多くの利用者の心理的準備状態に応じた方法で着信を通知することができる。
【０１２９】
また、本発明の実施の形態２における携帯電話端末３００においては、近距離無線手段１１が、情報提示種別決定手段２１が決定した情報提示装置４の通知種別を近距離に存在する周辺装置３００−３へ無線を介して送信することにより、携帯電話端末３００の周囲の利用者の心理的準備状態に応じた方法で着信を通知することができるとともに、周辺装置３００−３の通知種別を周囲の利用者の心理的準備状態に応じたものとすることができる。
【０１３０】
なお、本発明の実施の形態において、情報提示種別は着信の通知種別であるとしたが、これに限るものではなく、情報を提示する際の提示種別であれば何であってもよく、たとえば、映像を提示する際の照度や輝度や色合い、音を提示する際の音量や周波数特性、音声を提示する際の言語や方言や丁寧さの度合い等であってもよい。
【０１３１】
なお、また、本発明の実施の形態において、通知種別は通知音を鳴動する「通常通知」、または通知音を鳴動しない「無音通知」であるとしたが、これに限るものではなく、通知音の音量、長さ、周波数特性、通知音の選曲やジャンル、通知音を出力する装置の選択、振動の有無やパターンの違い等であってもよい。
【０１３２】
なお、また、本発明の実施の形態２において、情報提示種別をＬＥＤの色で示すとしたが、これに限るものではなく、背景画像やアイコンやテキストの種類、ＬＥＤやＬＣＤやキーの表示の点滅状態等で示してもよい。また、近距離に存在する周辺装置における情報提示種別に基づいて情報提示種別を決定している場合と、利用者の設定操作に基づいて情報提示種別を決定している場合とで、表示手段における表示状態を変えるようにして、情報提示種別の決定理由を利用者が簡易に確認できるようにしてもよい。
【０１３３】
なお、また、本発明の実施の形態２において、情報提示種別の決定履歴を図１８に示すように表示するとしたが、これに限るものではなく、たとえばスケジュール管理機能におけるスケジュールの表示と対応付けられた形態で情報提示種別の決定履歴を表示するようにすれば、利用者は自らの行動履歴をより好適に把握できるようになる。
【産業上の利用可能性】
【０１３４】
本発明の情報提示制御装置および情報提示制御方法は、情報提示装置が周囲の人の心理的準備状態に応じた方法で情報を提示することができるという効果を有し、周囲に不特定の人が居る環境で情報を提示する機能を有する電子機器に有用である。
【図面の簡単な説明】
【０１３５】
【図１】本発明の実施の形態１における情報提示制御装置の概略構成図
【図２】本発明の実施の形態１における携帯電話端末の構成図
【図３】本発明の実施の形態１における携帯電話端末の外観図
【図４】本発明の実施の形態における周辺装置の構成図
【図５】本発明の実施の形態１における携帯電話端末の近距離無線通信手段の処理手順を示すフローチャート
【図６】本発明の実施の形態１における携帯電話端末の情報提示種別決定手段の処理手順を示すフローチャート
【図７】本発明の実施の形態１における携帯電話端末の利用状況の例を示す図
【図８】本発明の実施の形態２における情報提示制御装置の概略構成図
【図９】本発明の実施の形態２における携帯電話端末の構成図
【図１０】本発明の実施の形態２における携帯電話端末の外観図
【図１１】本発明の実施の形態２における携帯電話端末の近距離無線通信手段の処理手順を示すフローチャート
【図１２】本発明の実施の形態２における携帯電話端末の情報提示種別決定手段の処理手順を示すフローチャート
【図１３】本発明の実施の形態２における携帯電話端末の情報提示種別決定手段の処理手順を示すフローチャート
【図１４】本発明の実施の形態２における携帯電話端末の情報提示方法決定手段の処理手順を示すフローチャート
【図１５】本発明の実施の形態２における携帯電話端末の利用状況の例を示す図
【図１６】本発明の実施の形態２における携帯電話端末の通知種別取得履歴表の内容を示す図
【図１７】本発明の実施の形態２における携帯電話端末の通知種別指示履歴表の内容を示す図
【図１８】本発明の実施の形態２における携帯電話端末の通知種別指示履歴表の内容の表示例を示す図
【符号の説明】
【０１３６】
１  情報提示制御装置
４  情報提示装置
１１、１１−２  近距離無線通信手段
２１、２１−２  情報提示種別決定手段
３１  指示履歴保持手段
４０  通知制御手段
４１  表示手段
４２  バイブレータ
４３  音源モジュール
４４  通知用スピーカ
５１  無線通信手段
５２  スピーカ
５３  マイク
６０  操作入力手段
７０  計時手段
１００、３００、３００−３  携帯電話端末
１１０  情報提示種別情報
１１１  取得結果情報
１２０  第２の情報提示種別情報
１２１  通知種別情報
１２２  第２の通知種別情報
２００、２００−１、２００−２  周辺装置
２１０  情報提示種別指示
２１１  通知種別指示
４０１  表示指示
４０２  振動指示
４０３  鳴動指示
４３１  通知音信号
５１１  通知指示
５１２  受話信号
５３１  送話信号
６０１  操作入力信号
７０１  時間情報
Ｔ３１１−１、Ｔ３１１−２、Ｔ３１１−３、Ｔ３１１−４  通知種別取得履歴表
Ｔ３１２−１、Ｔ３１２−２  通知種別指示履歴表
Ｕ、Ｕ−１、Ｕ−２、Ｕ−３  利用者 
【図１】
2007325158.tif 000003
【図２】
2007325158.tif 000004
【図３】
2007325158.tif 000005
【図４】
2007325158.tif 000006
【図５】
2007325158.tif 000007
【図６】
2007325158.tif 000008
【図７】
2007325158.tif 000009
【図８】
2007325158.tif 000010
【図９】
2007325158.tif 000011
【図１０】
2007325158.tif 000012
【図１１】
2007325158.tif 000013
【図１２】
2007325158.tif 000014
【図１３】
2007325158.tif 000015
【図１４】
2007325158.tif 000016
【図１５】
2007325158.tif 000017
【図１６】
2007325158.tif 000018
【図１７】
2007325158.tif 000019
【図１８】
2007325158.tif 000020